(57)【特許請求の範囲】
【請求項１】  ＬＡＶのヌクレオチド配列からなるＤＮＡであって、該ＤＮＡはウィルスＲＮＡの転写即ち逆合成により得られ、且つ該ＤＮＡはＬＡＶのラムダＪ１９（ＣＮＣＭ  Ｉ−３３８）中にあるＬＡＶレトロウィルスゲノムのｃＤＮＡの全部又はその一部であるＤＮＡインサート断片を含有し、ここで、該ＤＮＡインサート断片は、２０％ホルムアミド、８×ＳＳＣ、３７℃のハイブリダイゼーション及び２×ＳＳＣ、０．１％ＳＤＳ、３７℃での洗浄の非緊縮条件下でＬＡＶウィルスのゲノムＲＮＡとハイブリダイズするが、低緊縮条件のハイブリダイゼーション及び洗浄下でのブロット−ハイブリダイゼーションアッセイにおいてＨＴＬＶ−Ｉ及びＨＴＬＶ−ＩＩレトロウィルスのＲＮＡとはクロス−ハイブリダイズせず、但し該低緊縮のハイブリダイゼーション条件が２０％ホルムアミド、５×ＳＳＣ、１×デンハート溶液、１０％硫酸デキストラン、３７℃であり、且つ前記ＬＡＶのｃＤＮＡの一部は、以下の制限部位及び座標： 
ＫｐｎＩ（６,１００）からＢｇｌＩＩ（９,１５０）まで、又は
ＫｐｎＩ（３,５００）からＢｇｌＩＩ（６,５００）まで、又は
ＰｓｔＩ（８００）からＫｐｎＩ（３,５００）まで
を有することを特徴とする前記ＤＮＡ。
【発明の詳細な説明】
【０００１】
【発明の属する技術分野】
本発明は、リンパ節障害関連ウイルス（ＬＡＶ）のゲノムＲＮＡおよび、そのＲＮＡとハイブリダイズしうるクローン化ＤＮＡの逆転写（又は該ＤＮＡからの逆合成）により得られるＬＡＶゲノムに対応するＲＮＡから得られるＤＮＡに係る。
【０００２】
【従来の技術】
リンパ節障害関連ウイルス（ＬＡＶ）は、後天性免疫不全症候群（ＡＩＤＳ）の前徴または良性形態であることが多いリンパ節障害症候群に罹った同性愛の患者のリンパ節から初めて単離されたヒトレトロウイルスである（１参照）。その後別のＬＡＶがＡＩＤＳ患者やプレ−ＡＩＤＳ患者から単離されている（２〜５参照）。入手できるデータは全て、このウイルスがＡＩＤＳの病因であることと一致している（１１参照）。
【０００３】
このウイルスは活性化Ｔリンパ球で増殖し、Ｔ細胞サブセットＯＫＴ４に対して向性をもっており（２〜６参照）、このサブセット中で細胞変性効果を誘発する。しかしこのウイルスは、ある種のエプスタイン−バール(Epstein-Barr)ウイルスでトランスフォームしたＢ細胞株(cell line) （７参照）中や樹立したＴリンパ芽球細胞株、ＣＥＭ中で増殖できるように順化させられている。
【０００４】
さらに最近になって、ＬＡＶ様ウイルスがＡＩＤＳ患者とプレ−ＡＩＤＳ患者から別個に単離された。ＨＴＬＶ−III （ヒトＴ細胞白血病／リンパ腫ウイルスIII 型。１２〜１５参照）およびＡＲＶ（ＡＩＤＳ関連レトロウイルス）とよばれるこれらのウイルスはＬＡＶに類似した特性を多く有しており、ＬＡＶ原型(prototype) の別々の単離体である。便宜上以後これらを全部「ＬＡＶ」と指称する。
【０００５】
現在のところ利用できる検出法はウイルスタンパク質の識別を基にしている。このような方法は、１９８３年９月１５日付けの英国出願第８３  ２４８００号の優先権を主張して１９８４年９月１４日に出願された名称を「リンパ節障害と後天性免疫不全症候群を診断するための抗原、手段および方法」とする欧州出願に開示されている。実際抗−ｐ２５抗体がＡＩＤＳ患者とプレ−ＡＩＤＳ患者の血清中に高率で発見され、これよりは低いがかなりの程度でＡＩＤＳの罹患の危険度が高い群でも見つかっている（８〜１０参照）。
【０００６】
【発明が解決しようとする課題】
本発明は、ＬＡＶやその関連ウイルス（以後概括的に「ＬＡＶウイルス（群）」と指称する）の検出に同様に有用であるばかりでなく、特にこれらウイルスのゲノムＲＮＡまたはそれに対応するＤＮＡの特定の一部であってその発現産物が免疫的手法では必ずしも検出できないようなＲＮＡまたはＤＮＡを検出する際にさらに多くの有用性を発揮する新規な手段を提供することを目的としている。
【０００７】
【課題を解決するための手段】
本発明は、ＬＡＶヌクレオチド配列よりなり、ＬＡＶのラムダＪ８１（ＣＮＣＭ  Ｉ−３３９）中に含まれるＬＡＶレトロウイルスゲノムのｃＤＮＡの全部又はその一部であるＤＮＡインサート断片を含有するクローン化ＤＮＡの転写（又は逆合成）により得られるウイルスＲＮＡから得ることのできるＤＮＡであって、該ＤＮＡインサート断片が２０％ホルムアミド、８×ＳＳＣ、３７℃の非緊縮条件下でＬＡＶウイルスのゲノムＲＮＡとハイブリダイズするが、２０％ホルムアミド、５×ＳＳＣ、１×デンハート溶液、１０％硫酸デキストラン、３７℃の低緊縮ハイブリダイゼーション条件下のドット−ハイブリダイゼーションアッセイにおいてＨＴＬＶ−Ｉ及びＨＴＬＶ−IIレトロウイルスのＲＮＡとクロス−ハイブリダイズしないことを特徴とする前記ＤＮＡを提供する。
【０００８】
【発明の実施の形態】
以下図面を参照するが、図面中で、
−図１はプラスミド組換え体に含有される好ましいＬＡＶインサート（挿入物）の制限地図を示し、
−図２は完全なＬＡＶ断片の制限地図を示し、
−図３は完全なＬＡＶゲノム（クローンλＪ１９）の制限地図であり、
−図４〜図１１は、図３に制限地図を示したＬＡＶゲノムの全配列を示す。
【０００９】
本発明のＤＮＡはＬＡＶのゲノムＲＮＡとハイブリダイズしうるＤＮＡ断片を含有するＤＮＡから成っている。特定的には、このＤＮＡは前記ｃＤＮＡまたはｃＤＮＡ断片またはこのｃＤＮＡもしくはｃＤＮＡ断片を含有する組換えＤＮＡから成る。
【００１０】
好ましいクローン化ｃＤＮＡ断片は各々次の制限部位をそれぞれ（３′末端から５′末端へ）次の順序で含有する。
１）  HindIII, SacI, BglII  (LAV75)
２）  HindIII, SacI, BglII, BalII, KpnI  (LAV82)
３）  HindIII, SacI, BglII, BglII, KpnI, XhoI, BamHI, HindIII,BglII  (LAV13)。
【００１１】
ここで、ＬＡＶ７５，ＬＡＶ８２およびＬＡＶ１３という表示はそれぞれを最初にクローン化した組換えプラスミド（それぞれｐＬＡＶ７５，ｐＬＡＶ８２およびｐＬＡＶ１３と表示）の名称に対応している。言い換えると、ＬＡＶ７５，ＬＡＶ８２およびＬＡＶ１３はそれぞれ上記の組換えプラスミド中にインサートとして存在するということである。便宜上、ｃＤＮＡ断片が単離形態にあってもプラスミド形態にあっても、本明細書を通じてこの断片を表示するのにこのＬＡＶ７５，ＬＡＶ８２およびＬＡＶ１３という表示を使用する。したがって、上で最後に述べた組換え体の他のＤＮＡ部分はそれぞれｐＬＡＶ７５，ｐＬＡＶ８２およびｐＬＡＶ１３の対応する部分と同一かまたは異なる。
【００１２】
好ましいｃＤＮＡも（ＬＡＶ７５，ＬＡＶ８２およびＬＡＶ１３と同様に）、特にＬＡＶのレトロウイルス構造が今日までに知られているレトロウイルスのゲノム構造と概ね一致するものと仮定すれば、レトロウイルスのＤＮＡのコード領域の３′末端はもちろんＬＴＲ（長い末端反復配列、Long Terminal Repeat）のＲ領域とＵ３領域に対応する領域を含有している。
【００１３】
大きさが約２．５ｋｂｐのＬＡＶ１３は特に有利であることが判明した。このものはＬＡＶやＬＡＶ関連ウイルスに対して特異性が高く、またＬＡＶ７５やＬＡＶ８２よりも多くのＬＡＶレトロウイルスゲノムを認識する。特に、ＬＡＶ１３によってＬＴＲ内部のレトロウイルスゲノムのＲＵ５接合部の同定が可能となり、その後ＬＡＶゲノムのサイズの決定が可能になった。ＬＡＶゲノムサイズは平均すると約９．１〜約９．２ｋｂである。
【００１４】
ＬＡＶ１３は酵素EcoRI, NruI, PvuI, SalI, SmaI, SphI, StuI およびXbaIに対する制限部位をもたない。
【００１５】
さらにＬＡＶ１３は、レトロウイルスゲノム内でエンベロープタンパク質をコードしている配列に相当するＤＮＡ配列部分だけは少なくとも含有しているようである。
【００１６】
また本発明はＬＡＶレトロウイルスゲノム全体の一部分に相当すると思われるｃＤＮＡ中に含有される任意の断片にも係る。このＬＡＶレトロウイルスゲノム全体はその特徴として（５′末端から３′末端に向かって）後述の順序で一連の制限部位を含有している。
【００１７】
好ましい全ＬＡＶゲノムの連続する部位の座標（制限地図）も後に、Ｒ領域に位置するHind III部位（これを座標１に選択した）に対する座標として示す。この座標は  ＋２００ｂｐ以内で評価されている。あるものは他のものよりも十分に確立されている。
【００１８】
Ｈｉｎｄ  ＩＩＩ                    ０
Ｓａｃ  Ｉ                        ５０
Ｂａｍ  ＨＩ                    ４６０
Ｈｉｎｄ  ＩＩＩ                ５２０
Ｂａｍ  ＨＩ                    ６００
Ｐｓｔ  Ｉ                      ８００
Ｈｉｎｄ  ＩＩＩ            １  １００
Ｂｇｌ  ＩＩ                １  ５００
Ｋｐｎ  Ｉ                  ３  ５００
Ｋｐｎ  Ｉ                  ３  ９００
Ｅｃｏ  ＲＩ                ４  １００
Ｅｃｏ  ＲＩ                ５  ３００
Ｓａｌ  Ｉ                  ５  ５００
Ｋｐｎ  Ｉ                  ６  １００
Ｂｇｌ  ＩＩ                ６  ５００
Ｂｇｌ  ＩＩ                ７  ６００
Ｈｉｎｄ  ＩＩＩ            ７  ８５０
Ｂａｍ  ＨＩ                ８  １５０
Ｘｈｏ  Ｉ                  ８  ６００
Ｋｐｎ  Ｉ                  ８  ７００
Ｂｇｌ  ＩＩ                ８  ７５０
Ｂｇｌ  ＩＩ                ９  １５０
Ｓａｃ  Ｉ                  ９  ２００
Ｈｉｎｄ  ＩＩＩ            ９  ２５０。
【００１９】
上記した本発明のＤＮＡはほぼ５５５０の座標の所にHind IIIを余分に含んでいることもある。
【００２０】
さらに詳しくいうと本発明は概略の大きさが１０ｋｂで図３に示した一連の制限部位を含むＤＮＡに係る。
【００２１】
より一般的にいって本発明は、さらに詳細にいった場合後者（上記のＤＮＡ）のｃＤＮＡ変異体(variants)に係り、これら変異体は同じ一連の制限部位を後記の（５′末端から３′末端へ向かう）順序で有していてもよいが、制限部位のあるものが意図（自発）的かまたは意図的でなく誘発された突然変異に起因して欠失していてもまたは付加されていてもよい。
【００２２】
さらに本発明は上述の制限地図でそれぞれ以下のように延びるＤＮＡ断片にほぼ対応する別の好ましいＤＮＡ断片にも係る。
−Kpn Ｉ（６１００）あたりからBgl II（９１５０）あたりまで。この断片は少なくとも１部がエンベロープのタンパク質をコードしている遺伝子に対応していると考えられる。特に約１１００００ダルトン(Daltons) のタンパク質ｐ１１０はこの領域にコードされている。
−Kpn Ｉ（３５００）あたりからBgl II（６５００）あたりまで。この断片は少なくとも１部がｐｏｌ遺伝子（ウイルスポリメラーゼをコードしている。）に対応していると考えられる。
−Pst （８００）あたりからKpn Ｉ（３５００）あたりまで。この断片は少なくとも１部がｇａｇ遺伝子（タンパク質ｐ２５，ｐ１８およびｐ１３を含めたコア抗原をコードしている）に対応していると考えられる。
【００２３】
また本発明は、後に示されるようにＬＡＶのゲノムＲＮＡとハイブリダイズしうる他のＤＮＡ断片ならびにＬＡＶウイルス群の全ゲノムに相当する別のｃＤＮＡ変異体とハイブリダイズしうる他のＤＮＡ断片にも係り、さらにこれらＤＮＡやｃＤＮＡ断片を含有するＤＮＡ組換え体にも係る。
【００２４】
さらに特定的には本発明は、上記の断片に対応しており、ほぼ同じ部位を互いにほとんど同じ距離だけ離して有するあらゆる断片に係り、これら断片は全て共通してＬＡＶレトロウイルスゲノムとハイブリダイズしうるという能力をもっている。もちろん、同様にＬＡＶレトロウイルスゲノムとハイブリダイズするという能力を実質的に変えない欠失や突然変異を有する断片は上でより特定的に述べたＤＮＡ断片の自明な均等物を形成するものと理解されたい。
【００２５】
本発明の別の付加的な特徴は制限地図とヌクレオチド配列を含めて本発明の好ましいＤＮＡの付加的な特徴に関する開示を通して明らかとなろう。以下本発明の好ましいＤＮＡの製造条件とその特性を非限定的に例証する。
【００２６】
１．ｃＤＮＡライブラリーの構築
１．１  ウイルス精製
不死化した永久系ＬＡＶ産生Ｂ−リンパ球株(Line)ＦＲ８（１９８４年５月９日付でパリ・パスツール研究所(INSTITUT PASTEUR)の“ Collection Nationale de Cultures de Micro-organismes ”に番号Ｉ−３０３で寄託。７参照）からビリオンを精製した。精製手順（プロトコル）は既報の通り（１参照）。主要なステップは、培養上清のポリエチレン−グリコール処理と、２０％シュクロース緩衝液(cushion) によるペレット化と、２０〜６０％シュクロース勾配によるバンド分け(banding) と、ウイルス含有画分のペレット化であった。
【００２７】
１．２  第１ストランドｃＤＮＡ合成
ウイルスに関連する洗滌で活性化された内因性反応は、ウイルスを精製しそのエンベロープを溶解した後このウイルスのリバーストランスクリプターゼ（逆転写酵素）を作用せしめる技術である。
各反応毎にＦＲ８上清２５０〜３００ｍｌに相当する精製ウイルスを用いた。最終反応（液）量は１ｍｌであり、インキュベーションは３７℃で４５分間、タンパク質濃度は約２５０μｇ／ｍｌであった。バッファーはＮａＣｌ  ２５ｍＭ，  Ｔｒｉｓ  ＨＣｌ（ｐＨ７．８）５０ｍＭ、ジチオスレイトール１０ｍＭ、ＭｇＣｌ２  ６ｍＭ、ｄＡＴＰ，ｄＧＴＰ，ｄＴＴＰ  各０．１ｍＭ、Ｔｒｉｔｏｎ  Ｘ−１００  ０．０２％、オリゴｄＴプライマー５０μｇ／ｍｌであった。α−３２Ｐ−ｄＣＴＰ  ４００  Ｃｉ／ｍｍｏｌｅを０．６μＭまでかつコールド（放射化していない、ｃｏｌｄ）ｄＣＴＰを４μＭまで用いて１５分間ｃＤＮＡを標識した。その後、コールドｄＣＴＰを２５μＭまで加えて第１ストランドの最適な伸長を確実にした。
ｄＣＴＰ追跡（付加、chase ）の３０分後ＥＤＴＡを２０ｍＭまで、ＳＤＳを０．５％まで加えて反応を停止させ、プロテイナーゼＫ  １００μｇ／ｍｌで１時間消化し、フェノール−クロロホルム抽出した。
次にＧ−５０  Sephadex (Pharmacia)上でｃＤＮＡを精製し、エタノール沈殿した。
【００２８】
１．３  第２ストランド合成とクローニング
精製しｃＤＮＡ−ＲＮＡハイブリッドをGUBLERとHOFFMAN （１７参照）に従ってＤＮＡポリメラーゼＩとRNase H で処理した。ターミナルトランスフェラーゼを用いて２本鎖ｃＤＮＡの末端にｄＣを付加（ｄＣ−ｔａｉｌ）し、ｐＢＲ３２２の誘導体であるｐＢＲ３２７（３４参照）をＰｓｔ消化し、末端にｄＧを付加したものとアニールした。
大腸菌(E.coli)Ｃ６００  ｒｅｃＢＣ株をトランスフェクションしてｃＤＮＡライブラリーを得た。
【００２９】
２．ＬＡＶ−特異的クローンの検出
２．１  ライブラリーのスクリーニング
５００個の組換えクローンをニトロセルロースフィルター上で増殖させ、既報（１，２参照）のように内因性ウイルス関連反応で作成し、３２Ｐで標識したｃＤＮＡのもう１つのバッチを用いてその場（in situ ）でコロニーハイブリダイゼーション（３５参照）を実施した。クローンの約１０％が検出できた。
【００３０】
これらのクローンを小規模に増幅しそれらのインサートのクロスハイブリダイゼーションを行なって主要な１群を得た。これらのクローンのうち組換え体とハイブリダイズする主要な１群を同定した。これらのｃＤＮＡクローンのうち３個、すなわち２．５ｋｂ、０．６ｋｂおよび０．８ｋｂのインサートをもつものをそれぞれｐＬＡＶ１３、７５および８２と命名して更に特性決定した（図１）。
【００３１】
３種のインサートは全て一端に共通の制限パターンをもっており、プライミング部位が共通であることを示唆している。長さ５０ｂｐで共通のHind III−Ｐｓｔ  Ｉ断片の配列を決定した（図１）。これら共通断片はクローニングｄＣテイル部の前にポリＡ鎖を含有することが示された。すなわちこれらのクローンはポリＡ−ＲＮＡの３′末端のコピーである。
【００３２】
ＬＡＶ１３の特異性をいろいろなアッセイで示した。
【００３３】
ｐＬＡＶ１３の特異性を、ニック翻訳したｐＬＡＶ１３をプローブとして用いた一連のフィルターハイブリダイゼーション実験で決定した。先ずこのプローブはドット(dot) およびノーザン(Northern)ブロッティングによって精製したＬＡＶゲノムＲＮＡにハイブリダイズした（データは示さず）。またｐＬＡＶ１３は培養上清から濃縮されフィルターに直接固定されたウイルスのゲノムＲＮＡにもハイブリダイズする（ドットブロット法）。同様な方法でいろいろな起源、すなわち正常Ｔ細胞、ＦＲ８その他のＢ細胞のＬＡＶ産生株、ＣＥＭ細胞、および、（これら程強くはないが）ＡＩＤＳに罹った血友病患者から得た骨髄培養物由来のＬＡＶ（３参照）から得たＬＡＶ  ＲＮＡが検出された。非感染培養物は負であることが立証された。この迅速なドットブロット法は多少修正すれば血清その他の体液中のＬＡＶの検出に適用することができる。
【００３４】
第二にこのプローブはＬＡＶに感染したＴリンパ球のサザン(Southern)ブロットとＬＡＶを産生するＣＥＭ細胞株(cell line) とにおいてＤＮＡを検出した。同じハイブリダイゼーション条件下では、非感染リンパ球のＤＮＡでも正常肝から得たＤＮＡでもハイブリダイゼーションは検出されなかった（データは示さず）。
【００３５】
後述するようにＬＡＶウイルス群の全レトロウイルスゲノムを同定するのにＬＡＶ１３を用いることができるという可能性から第３の特徴が導かれた。 Hind III で開裂したｐＬＡＶ１３中の内部ウイルス断片と共に移動する特に特徴的な１．４５ｋｂ Hind III 断片が検出された。２．３ｋｂと６．７ｋｂにもバンドが検出された。このプロープの長さは２．５ｋｂしかなく、しかも接合断片は全く検出できなかったので、これら大き過ぎるバンドは、ＬＡＶゲノムのHind III多型性から生じた内部断片に当たるのであろう。
【００３６】
これらのデータを合わせると、ｐＬＡＶ１３ＤＮＡはヒトゲノムに対して外因性であり、ＬＡＶに感染した細胞から得たＲＮＡ形も組み込まれたＤＮＡ形も双方とも検出することが示される。すなわちｐＬＡＶ１３はＬＡＶに特異的である。従来知られているレトロウイルスのゲノム構造を考えれば、ｐＬＡＶ１３はオリゴ−ｄＴでプライムしたのでコード領域の３′末端と共にＬＴＲのＲ領域とＵ３領域も含有するはずである。
【００３７】
ＬＡＶゲノムＤＮＡのクローニング
ＬＴＲのＲ領域内にHind III部位があることが判明したので、ＬＡＶに感染した細胞から得たプロウイルスＤＮＡをHind IIIで部分消化することによりＬＡＶゲノムをクローン化することにした。(a) 部分消化すると完全なクローンを単離する機会が増大すること、および(b)Hind III 断片はラムダ置換ベクター(lambda replacement vectors)中で容易にクローン化されることが判明した。健常ドナーから得インビトロで(in vitro)ＬＡＶに感染させた後のＴ細胞から単離したＤＮＡをHind IIIで部分消化して分画した。９±１．５ｋｂＤＮＡを含有する画分を沈殿させ、ラムダ−Ｌ４７．１のHind III腕(arms)内へ連結した（１８参照）。
【００３８】
ＬＡＶゲノムＤＮＡのクローニングはさらに詳細には次のようにして行なった。
【００３９】
ｃＤＮＡを上述のようにＬＡＶに感染したＴ細胞から調製した後、Hind IIIで部分的に消化し、１０ｍＭ  Ｔｒｉｓ  Ｃｌ（ｐＨ８）、１０ｍＭ  ＥＤＴＡ、１Ｍ  ＮａＣｌ中５〜４０％のシュクロース勾配上で分画した（ＳＷ４１ローター、４０，０００ｒｐｍで１６時間）。単一画分（９±０．５ｋｂ）をキャリヤーとしてのDextran Ｔ４０  ２０μｇ／ｍｌで沈殿させ、ＴＥバッファー（１０ｍＭ  Tris. Cl, pH8, 1mM EDTA ）中に取った。λ−Ｌ４７．１ Hind III 腕は、先ずｃｏｓ部位を連結した後Hind IIIで消化し５〜４０％のシュクロース勾配を通して分画して調製した。λ−Hind III腕のみを含有する画分をプールし、沈殿させ、ＴＥ−バッファーに取った。この腕とＤＮＡの連結は、３：１過剰モル濃度の腕と３００単位のＴ４ＤＮＡリガーゼ(Biolabs) とを用いてＤＮＡほぼ２００μｇ／ｍｌで行なった。溶解物(lysates) のin vitroパック組立(packaging) は（３８）に従って行なった。in vitroパック組立後このファージの溶菌物（lysate）をＣ６００ｒｅｃＢＣ株上のＮＭ５３８の上にプレートアウトした。ニトロセルロースフィルターを用いたin situ ハイブリダイゼーション（３９参照）によって約２百万のプラークをスクリーニングした。ハイブリダイゼーションは１×Denhardt溶液、０．５％ＳＤＳ，２×ＳＳＣ，２ｍＭ  ＥＤＴＡの中６８℃で行なった。プローブはｐＬＡＶ１３の３２Ｐでニック翻訳したＬＡＶインサートであった（＞１０８  ｃｐｍ／μｇ）。フィルターを６８℃の０−１ＳＳＣ，０．１％ＳＤＳ中３０分間で２回洗浄し、 Kodak XAR−５フィルムに２９〜４０時間露出した。陽性のクローンを７個同定し、Ｃ６００ｒｅｃ  ＢＣ株上でプラークを精製した。液体培養し、組換えファージをＣｓＣｌ中にバンド分けした。ファージＤＮＡを抽出し、適当な条件下で消化した。
【００４０】
このように、ニック翻訳したｐＬＡＶ  １３インサートをプローブとして用いたin situ スクリーニングによって約２百万のファージプラークから７個の別々のクローンが得られた。λ−Ｊ１９の制限地図をHind III多型性のλ−Ｊ８１の制限地図と共に図２に示す。他の組換えλ−Ｊ２７、λ−Ｊ３１およびλ−Ｊ５７はλ−Ｊ１９と同じHind III地図を示した。λ−Ｊ８１の地図は同様であるが約５５５０の座標の所に余分なHind III部位がある。
【００４１】
図２の制限地図はブロットをｐＬＡＶ１３ＤＮＡに対してハイブリダイスすることで方向を決定した。
【００４２】
ＬＡＶ１３ｃＤＮＡクローンの制限地図も図２に示してある。λ−Ｊ１９の制限部位はＢがBamHＩ、ＢｇがBgl II、ＨがHind III、ＫがKpn Ｉ、ＰがPst Ｉ、ＲがEco RI、ＳがSac Ｉ、ＳａがSal Ｉ、ＸがXho Ｉである。目盛り（スケール）の下にはレトロウイルスの一般的な構造の概略図があり、これにはＬＴＲの要素の要素Ｕ３，ＲおよびＵ５が示されている。Ｒ／ＵＳ境界のみがはっきり決められており、他の境界は単に比喩的に図示しただけである。
【００４３】
λ−Ｊ１９の５′の０．５２ｋｂ HindIII断片中には他のBamH I部位があるかもしれない。これらの部位は小さ過ぎて検出できない断片を生じる。
【００４４】
図２はまた、λ−Ｊ１９とλ−Ｊ８１のHind III断片のうちｐＬＡＶ１３で検出されるものを (＋) として検出されないものを (-)として示している。
【００４５】
さらに詳細にみると、λ−Ｊ１９には４つのHind IIIバンド、すなわち６．７ｋｂ、１．４５ｋｂ、０．６ｋｂおよび０．５２ｋｂのバンドがあり、これらの最初の２つがHind IIIで制限したＤＮＡのゲノムブロット中にあるバンドに対応する。最小の０．６ｋｂと０．５２ｋｂのバンドはゲノムブロット内にはみられなかったが、これらが独立に得られた分析クローンの全てに現われるという事実は、ＬＡＶのプロウイルスＤＮＡのランダムな組み込みを仮定すると、これらのバンドが内部断片に相当するもので接合断片(junction fragments)ではないということを示唆している。実際、０．５ｋｂバンドはｐＬＡＶ１３の小さいHind  III −Ｐｓｔ  Ｉ断片を介してｐＬＡＶ１３ＤＮＡとハイブリダイズする（図２）。すなわちλ−Ｊ１９の０．５ｋｂ  Hind III断片はＬＴＲ内部のＲ−Ｕ５接合部(junction)を含有している。
【００４６】
λ−Ｊ８１はλ−Ｊ１９の制限部位多型現象であると思われる。λ−Ｊ８１には４．３ｋｂ、２．３ｋｂ、１．４５ｋｂ、０．６ｋｂおよび０．５２ｋｂの５種のHind IIIバンドがある。この２．３ｋｂバンドはｐＬＡＶ１３プローブによるゲノムブロットで容易に検出されるが、４．３ｋｂ断片は検出されない。λ−Ｊ８１がHind III多型現象の１つであり組換えウイルスではないということは、ニック翻訳したλ−Ｊ１９ＤＮＡが緊縮ハイブリダイゼーションおよび洗浄条件下でλ−Ｊ８１の５つのHind IIIバンド全てとハイブリダイズするという事実によって示される。また、λ−Ｊ８１内のその他の制限部位はλ−Ｊ１９と同一である。
【００４７】
ＬＡＶ由来ｃＤＮＡの配列決定
ファージ組換え体に対し特に重要な部位の配列決定を行なった。
【００４８】
クローンλ−Ｊ１９の組換えファージＤＮＡ全体をＤＥＩＮＩＮＧＥＲ（１９８３）、Ａｎａｌｙｔｉｃａｌ  Ｂｉｏｃｈｅｍ．，１２９，２１６のプロトコル（手順）に従って超音波処理した。このＤＮＡをクレノウ(Klenow)反応によって１６℃で１２時間修復した。ＤＮＡを０．８％アガロースゲル中に電気泳動させ、３００〜６００ｂｐのサイズ範囲のＤＮＡを切出し、電気溶出し、沈殿させた。ＤＮＡを（１０ｍＭ  Ｔｒｉｓ，ｐＨ８，０．１ｍＭ  ＥＤＴＡ中に）再懸濁し、Ｔ４ＤＮＡ−およびＲＮＡ−リガーゼ(Maniatis Ｔら(1982)、Molecular cloning, Cold Spring Harbor Laboratory) を用いて、（制限酵素ＳｍａＩで切断した後アルカリ性ホスファターゼ処理をした）Ｍ１３ｍｐ８ＲＦ  ＤＮＡ中に連結した。ＴＧ１と名付けたＥ．ｃｏｌｉ株を用いて以下の研究を行なった。この株の遺伝子型はΔｌａｃ  ｐｒｏ，ｓｕｐＥ、ｔｈｉ．Ｆ′ｔｒａＤ３６，ｐｒｏＡＢ，ｌａｃＩｑ  ，ＺΔＭ１５，ｒ− である。
【００４９】
このＥ．ｃｏｌｉ  ＴＧＩ株の特有の性質によって組換え体を容易に識別できる。ＬＡＶ  ＤＮＡの断片で組換えなかったプラスミドによってトランスフェクトされた細胞の青色は変化しない。逆に、ＬＡＶ  ＤＮＡ断片を含有する組換えプラスミドでトランスフェクトした細胞は白色のコロニーとなる。用いた方法はＧｅｎｅ（１９８３）、２６，１０１に開示されている。
【００５０】
Ｈａｎａｈａｎ法（Ｈａｎａｈａｎ  Ｄ  （１９８３）、Ｊ．Ｍｏｌ．Ｂｉｏｌ．，１６６，５５７）を用い、この菌株を連結混合物で形質転換した。軟アガロース中にＩＰＴＧとＸ−ｇａｌを有するトリプトン−アガロースプレート上にプレートアウトした。白色のプラークを摘出した後かまたは直接in situ でニトロセルロースフィルターを用いてスクリーニングした。これらプラークのＤＮＡはλ−Ｊ１９のｐＵＣ１８Hind IIIサブクローンのＤＮＡインサートをニック翻訳したものとハイブリダイズした。これによって後記表に示すλのプラスミドまたはサブクローンの単離が可能になった。この表に関して、各プラスミドの表示の後ろに各々のプラスミドを含有するＥ．ｃｏｌｉ  ＴＧＩの培養細胞をフランス、パリのPasteur Institute の“Collection Nationale des Cultures de Micro-organismes ”（Ｃ．Ｎ．Ｃ．Ｍ．）に寄託した番号も示されていることに注意されたい。形質転換してないＴＧＩ細胞株も番号Ｉ−３６４でＣ．Ｎ．Ｃ．Ｍ．に寄託した。これらの寄託は全て１９８４年１１月１５日付で行なった。ＬＡＶゲノムから得られた対応するインサートのサイズも一緒に示す。
【００５１】
0003685487.tif 000002
【００５２】
正にハイブリダイズするＭ１３ファージプレートを５時間増殖させ、一本鎖ＤＮＡを抽出した。
【００５３】
Ｓａｎｇｅｒらによって改良されたジデオキシ法および技法（Sangerら(1977)Proc. Natl. Acad. Sci. USA, 74, 5463およびＭ１３  Cloning and sequencing handbook, AMERSHAM (1983)）に従って、λＪ１９ＤＮＡのＭ１３ｍｐ８サブクローンの配列決定をした。１７量体のオリゴヌクレオチドプライマーα−３５ＳｄＡＴＰ（４００Ｃｉ／ｍｍｏｌ，ＡＭＥＲＳＨＡＭ）、および０．５Ｘ−５Ｘバッファー勾配ゲル（Ｂｉｇｇｅｎ  Ｍ．Ｄ．ら（1983），Pro. Natl, Acad. Sci. USA, 50, 3963 ）を用いた。ゲルを読み取り、Ｓｔａｄｅｎのプログラム（Ｓｔａｄｅｎ  Ｒ． (1982) Nucl. Acids Res., 10, 4731）を組み込んだコンピューターに入力した。適当な参考文献と方法は全てAMERSHAM M13 Cloning and sequencing handbook中に書いてある。
【００５４】
λＪ１９の完全な配列を図４〜図１１に示す。
【００５５】
他のヒトレトロウイルスとの関係
ＨＴＬＶ−ＩとＨＴＬＶ−IIはＴ細胞サブセットであるＯＫＴ４に対する指向性をもった１対のＣ−タイプ形質転換型レトロウイルスを構成している（２０参照）。単離したＨＴＬＶ−Ｉは全配列が決定されており（２１参照）、ＨＴＬＶ−IIの部分配列も決定・報告されている（２２〜２４参照）。どちらのゲノム（ＬＴＲ１個）も長さが約８．３ｋｂであり、ｐＸ領域を有しており、広い範囲で配列に相同性がある。これらのゲノムはかなり緊縮な条件（４０％ホルムアミド、５ＸＳＳＣ）下でお互いにハイブリダイズし、しかもｐＸ領域は６０％ホルムアミドでさえハイブリダイズする（２６参照）。したがって、保存されたｐＸ領域はこの類のウイルスの際立った特徴である。
【００５６】
我々はクローン化したＬＡＶ  ＤＮＡとクローン化したＨＴＬＶ−II  ＤＮＡ（ｐＭＯ、２７参照）とをブロット−ハイブリダイゼーションで比較し、ハイブリダイゼーションおよび洗浄の低緊縮条件下ではクロス−ハイブリダイゼーションが全く起こらないことを見出した。たとえば、Ｈｉｎｄ IIIで消化したλ−Ｊ１９、λ−Ｊ２７およびλ−Ｊ８１を電気泳動させ、ブロットし、３２Ｐ−ニック翻訳したｐＭＯ（ＨＴＬＶ−II）ＤＮＡ（比活性は０．５×１０８  ｃｐｍ／μｇより大）と、２０％ホルムアミド、５×ＳＳＣ、１×Ｄｅｎｈａｒｄｔｓ溶液、１０％Ｄｅｘｔｒａｎ  ｓｕｌｐｈａｔｅ（硫酸デキストラン）中３７℃で一晩ハイブリダイズさせた。ＨＴＬＶ−Ｉ配列（２１）から得た５３．１％ＧＣ含量を用いて３７℃（ｔｍ．５０）ｔｍ．５０でフイルターを洗浄した。洗浄を５０℃と６５℃、１×ＳＳＣ、０．１％ＳＤＳ中で繰り返した。２０％ホルムアミド、８×ＳＳＣ（ｔｍ．５０）中でハイブリダイズさせ、２×ＳＳＣ（ｔｍ．５０）中３７℃で洗浄した場合でさえ、増感スクリーンを用いて−７０℃で２日露光した後でもハイブリダイゼーションは全く検出されなかった。
【００５７】
このように、ＬＡＶとＨＴＬＶウイルスの間の関係を示す分子的な証拠はない。また、ＨＴＬＶウイルスが８．３ｋｂであるのに対しＬＡＶゲノムはほぼ９ｋｂの長さである。ゲノムサイズが近いにもかかわらず、ＬＡＶとビスナ（Ｖｉｓｎａ．２９参照）のクローン化したウイルスゲノムはクロスハイブリダイズすることはなく、非緊縮条件（ハイブリダイゼーション２０％ホルムアミド、８ＳＳＣ、３７℃；洗浄２ＳＳＣ、０．１％ＳＤＳ、３７℃）でＬＡＶと多くのヒト内因性ウイルスゲノム（３０参照）とのハイブリダイゼーションが起こることもない。
【００５８】
本発明はまた、さらに特定的には本発明によるＤＮＡ断片のいずれかから出発して作製することができるクローン化プローブにも係り、したがってこのような断片を含有する組換えＤＮＡ特に原核または真核細胞中で増幅でき前記の断片を担持しているあらゆるプラスミドにも係る。既に述べたように好ましいＤＮＡ断片はＬＡＶ１３である。
【００５９】
クローン化したプロウイルスＤＮＡを放射性核種か蛍光試薬のいずれかで標識することにより分子ハイブリダイゼーションプローブとして用いるとＬＡＶビリオンＲＮＡを、血液、体液および（たとえば第VIII因子濃縮物のような抗血友病因子の）血液製剤ならびにワクチンすなわちＢ型肝炎ワクチン中で直接検出しうる。ＬＡＶ産生細胞の培養上清中でウイルス全体が検出できることは既に示されている。その検出を達成する適切な方法は、前記の如き担体たとえばニトロセルロースフィルター等にウイルスを固定し、ビリオンを破砕し、標識（放射標識または「冷（ｃｏｌｄ）」蛍光もしくは酵素標識）したプローブとハイブリダイズすることである。このような方法は既に、末梢血中のＢ型肝炎ウイルスの場合について（ＳＣＯＴＴＯ，Ｊ．ら、Hepatology(1983),  3, 379-384 に従って）開発されている。
【００６０】
本発明のプローブはまた、ＬＡＶ関連症状を示している患者の組織から得たゲノムＤＮＡの迅速なスクリーニングに使用してプロウイルスＤＮＡまたはＲＮＡが宿主組織およびその他の組織中に存在するかどうかを検べることもできる。
【００６１】
このようなスクリーニングに使用できる方法は次のステップからなる。すなわち、組織からのＤＮＡの抽出、このＤＮＡの制限酵素開裂、断片の電気泳動および組織からのゲノムＤＮＡのサザンブロッティング、その後の標識クローン化ＬＡＶプロウイルスＤＮＡとのハイブリダイゼーションである。ｉｎ ｓｉｔｕハイブリダイゼーションも使用できる。
【００６２】
また、ヒト、霊長目その他の哺乳類の種のリンパ液やリンパ組織およびその他の非リンパ組織を別の進化上関連したレトロウイルスが存在するかどうかを検討するためにスクーニングすることもできる。上述の方法が使用できるがハイブリダイゼーションと洗浄は非緊縮条件下で行なわれるであろう。
【００６３】
本発明のＤＮＡは診断目的用のＬＡＶウイルス抗原の発現を達成するために使用でき、もちろんＬＡＶに対するワクチンの製造にも使用できる。この点特に有利なのはコア（ｇａｇ領域）およびエンベロープタンパク質をコードしているＤＮＡ断片、特にＫｐｎ  Ｉ（６１００）からＢｇｌII（９１５０）まで延びるＤＮＡ断片である。
【００６４】
このために使用できる方法は多様である。
ａ）ＤＮＡは様々な技法、たとえばリン酸カルシウム沈殿、ポリエチレングリコール、プロトプラスト−融合、等によって適当な選択マーカーをもった哺乳動物細胞中にトランスフェクトすることができる。
ｂ）遺伝子に対応するＤＮＡ断片をＥ．ｃｏｌｉ、酵母または哺乳類の細胞用の発現ベクター中でクローン化し、得られたタンパク質を精製することができる。
ｃ）プロウイルスＤＮＡを「ショットガンによって（断片化して）」原核生物発現ベクター中に導入して融合ポリペプチドを生成させることができる。抗原性のある融合タンパク質を産生する組換え体はこの組換え体ＬＡＶ抗原に対する抗体で単にスクリーニングするだけで同定できる。
ｄ）本発明はまた、免疫原と抗原を産生すべくＬＡＶ抗原−遺伝子のＤＮＡ配列から推定され、化学的に合成できるオリゴペプチドにも係る。
【００６５】
上記（ａ〜ｄ）は全て診断において許容されない系を用いて産生されるウイルス粒子をもたない、したがって生物学的危険がほとんどまたは全くない免疫原または抗原の入手源として使用できる。
【００６６】
さらに本発明は上述の組換え体で形質転換され、前記ＤＮＡ断片を発現することができる宿主（原核または真核細胞）に係る。
【００６７】
最後に本発明は、活性成分が発現された抗原、すなわち抗原全体、融合ポリペプチドまたはオリゴペプチドから成るようなワクチン組成物にも係る。
【００６８】
本発明は最後に、ＬＡＶウイルス群から抽出されるＲＮＡ、またはそのＲＮＡに対応するｃＤＮＡから逆合成（逆転写）される精製ゲノムｍＲＮＡ、特に大きさがほぼ９．１〜９．２ｋｂで上記に定義したＤＮＡ断片のいずれかにハイブリダイズできる精製ｍＲＮＡ、あるいは前記精製ｍＲＮＡの一部に関する。また本発明は前記ＲＮＡの一部分にも係る。この精製ＲＮＡまたはその一部分のヌクレオチド構造は実際関連ｃＤＮＡのヌクレオチド配列から推定することができる。
【００６９】
最後に、ラムダ−Ｊ１９とラムダ−Ｊ８１は１９８４年９月１１日付でそれぞれ番号Ｉ−３３８とＩ−３３９をもってＰａｓｔｅｕｒ（フランス）のＩＮＳＴＩＴＵＴ  ＰＡＳＴＥＵＲのＣｏｌｌｅｃｔｉｏｎ  Ｎａｔｉｏｎａｌｅ  ｄｅｓ  Ｃｕｌｔｕｒｅｓ  ｄｅ  Ｍｉｃｒｏｏｒｇａｎｉｓｍｅｓ（Ｃ．Ｎ．Ｃ．Ｍ）に寄託されていることに言及しておく。
【００７０】
終りに本発明は、そのＤＮＡ配列を決定してウイルスタンパク質（抗原）のアミノ酸配列の予知に使用することができるようなゲノムＤＮＡ、およびｃＤＮＡから誘導することができるＲＮＡプローブに関する。
【００７１】
本明細書を通じてかっこで括った数で参照して来た参考文献の目録を次に挙げる。
【００７２】
次の目録で参照されている刊行物は全て引用によってここに含まれるものとする。
参照文献
１．Barre-Sinoussi, F. et al. Science 220, 868-871(1983).
２．Montagnier, L. et al. in Human T-cell LeuKemia Viruses(eds. R. C. Gallo, M. Essex and L. Gross) p.363-379(Cold Spring Harbor, New-York, 1984).
３．Vilmer, E. et al. Lancet, ii, 753-757(1984).
４．Ellrodt, A. et al. Lancet, i. 1383-1385(1984).
５．Feorino, M. P. et al. Science, 225, 69-72(1984).
６．Klatzmann, D. et al. Science, 225, 59-63(1984).
７．Montagnier, L. et al. Science, 885, 63-66(1984).
８．Brun-Vezinet, F. et al. Lancet, i, 1253-1256(1984).
９．Kalyanaraman, V. S. et al. Science, 225, 321-323(1984).
１０．Brun-Vezinet, F. et al. Science in Press.
１１．Montagnier, L., Barre-Sinoussi, F. and Chermann, J. C. in Prog. Immunodef. Res. Therapy, I, (eds, C. Griscelli and J. Vossen) p.3670372(Excerpta Medica, Amsterdam, 1984).
１２．Popovic, M., Sarngadharan, M. G. Read, E. and Gallo, R. C. Science, 224, 497-500(1984).
１３．Gallo, et al. Science, 224, 500-503(1984).
１４．Schupbach, J. et al. Science, 224, 503-505(1984).
１５．Sarngadharan, M. G., Popovic, M., Bruch, L., Schupbach, J. and Gallo, R. C. Science, 224, 506-508(1984).
１６．Levy, J. A. et al. Science, 225, 840-842(1984).
１７．Gubler, U., and Hoffman, B. J. Gene, 25, 263-269(1983).
１８．Loenen, W. A. M. and Brammar, W. J. Gene, 10, 249-259(1980).
１９．Fujiyama, A. et al. Nuc. Acids. Res., 11, 4601-4610(1983).
２０．Gallo, R. C. et al. Proc Natl. Acad. Sci. USA, 79, 5680-5683(1982).
２１．Seiki, M., Hattori, S., Hirayama, Y. and Yoshida, M. Proc. Natl.  Acad. Sci. USA, 80, 3618-3622(1983).
２２．Haseltine, W. A. et al. Science, 225, 419-421(1984).
２３．Sodroski, J. et al. Science, 225, 421-424(1984).
２４．Shimotohno, K. et al. Proc. Natl. Acad. Sci. USA, in press.
２５．Chen, I. S. Y, Mc Laughlin, J., Gasson, J. C., Clark, S. C. and Golde, D. W. Nature, 305, 502-505(1983).
２６．Shaw, G. M. et al. Proc. Natl. Acad. Sci. USA, 81, 4544-4548(1984).
２７．Gelmann, E. P., Franchini, G., Manzari, V., Wong-Staal, F. and Gallo, R. C. Proc. Natl. Acad. Sci. USA, 81, 993-997((1984).
２８．Arya, S. K. et al. Science, 225, 927-930(1984).
２９．Harris, J. D. et al. Virology, 113, 573-583(1981).
３０．Steele, P. E., Rabson, A. B., Bryan, T. and Martin, M. A. Science, 225, 943-947(1884).
３１．Montagnier, L. et al. Ann. Virol.(Institut Pasteur), 135, E, 119-134(1984).
３２．Lenz, J. et al. Nature, 308, 467-470(1984).
３３．Chen, I. S. Y., Mc Laughlin, J. and Golde, D. W. Nature, 309, 276-279(1984).
３４．Soberon, X., Covarrubias, L. and Bolivar, F. Gene, 9, 287-305(1980).
３５．Grunstein, M. and Hognhess, D. Proc. Natl. Acad. Sci. USA, 72, 3961-3965(1975).
３６．Sanger, F., Nicklen, S. and Coulsen, A. R. Proc. Natl. Acad. Sci. USA, 79, 5463-5476(1977).
３７．Southern, E. M. J. Mol. Biol., 98, 503-517(1975).
３８．Ish-Horoewicz, D. and Burke, J. F. Nucl. Acids Res., 9, 2989-2998(1981).
３９．Benton, W. D. and Davis, R. W. Science, 196, 180-192(1977).
【図面の簡単な説明】
【図１】プラスミド組換え体に含有される好ましいＬＡＶインサートの制限地図を示す。
【図２】完全なＬＡＶ断片の制限地図を示す。
【図３】完全なＬＡＶゲノム（クローンλＪ１９）の制限地図を示す。
【図４】図３に制限地図を示したＬＡＶゲノムの全配列の一部を示す。
【図５】図３に制限地図を示したＬＡＶゲノムの全配列の一部を示す。
【図６】図３に制限地図を示したＬＡＶゲノムの全配列の一部を示す。
【図７】図３に制限地図を示したＬＡＶゲノムの全配列の一部を示す。
【図８】図３に制限地図を示したＬＡＶゲノムの全配列の一部を示す。
【図９】図３に制限地図を示したＬＡＶゲノムの全配列の一部を示す。
【図１０】図３に制限地図を示したＬＡＶゲノムの全配列の一部を示す。
【図１１】図３に制限地図を示したＬＡＶゲノムの全配列の一部を示す。
【図１】
0003685487.tif 000003
【図２】
0003685487.tif 000004
【図３】
0003685487.tif 000005
【図４】
0003685487.tif 000006
【図５】
0003685487.tif 000007
【図６】
0003685487.tif 000008
【図７】
0003685487.tif 000009
【図８】
0003685487.tif 000010
【図９】
0003685487.tif 000011
【図１０】
0003685487.tif 000012
【図１１】
0003685487.tif 000013